(57)【要約】【課題】固定什器と移動什器とを組み合わせ可能かつ前記組み合わせ時に固定什器から移動什器へ給電可能とした什器システムにおいて、移動什器に設けた電力取り出し部の使い勝手を良好にする。【解決手段】固定電源に接続される給電部５を有するテーブル２と、前記給電部５からの給電を受ける受電部４を有するカート３とを備え、前記テーブル２及びカート３が所定の組み合わせ状態となったときに、前記給電部５から前記受電部４への給電を可能とするものであって、前記カート３の天板１４に、このカート３に搭載したバッテリ１７及び前記受電部４の少なくとも一方に接続される電力取り出し部１８が設けられ、この電力取り出し部１８の基体が、前記天板１４の上面１４ａから上方に向かって突出する。【選択図】図１
2012019879.tif 000002
【特許請求の範囲】
【請求項１】
固定電源に接続される給電部を有する固定什器と、前記給電部からの給電を受ける受電部を有する移動什器とを備え、
前記固定什器及び移動什器が所定の組み合わせ状態となったときに、前記給電部から前記受電部への給電を可能とする什器システムであって、
前記移動什器の天板に、この移動什器に搭載したバッテリ及び前記受電部の少なくとも一方に接続される電力取り出し部が設けられ、この電力取り出し部の基体が、前記天板の上面に露出して設けられることを特徴とする什器システム。
【請求項２】
請求項１に記載の什器システムにおいて、
前記電力取り出し部の基体が、前記天板の上面から上方に向かって突出することを特徴とする什器システム。
【請求項３】
請求項１又は２に記載の什器システムにおいて、
前記電力取り出し部の基体に、前記受電部が設けられることを特徴とする什器システム。
【請求項４】
請求項１から３の何れか１項に記載の什器システムにおいて、
前記移動什器に搭載したバッテリが、前記天板の下方に配置されることを特徴とする什器システム。
【請求項５】
請求項１から４の何れか１項に記載の什器システムにおいて、
前記給電部及び受電部が給電コネクタ及び受電コネクタをそれぞれ有し、前記各コネクタが、互いに磁気的に吸着して電気的な接続状態を確立するマグネット式コンセントを構成することを特徴とする什器システム。
【請求項６】
請求項１から４の何れか１項に記載の什器システムにおいて、
前記給電部及び受電部が非接触給電手段を構成することを特徴とする什器システム。
【請求項７】
請求項１から６の何れか１項に記載の什器システムにおいて、
前記電力取り出し部の基体に、前記給電部から受電部への給電状態を示す給電表示部が設けられることを特徴とする什器システム。
【請求項８】
請求項１から７の何れか１項に記載の什器システムにおいて、
前記電力取り出し部の基体に、前記移動什器に搭載したバッテリの蓄電残量を示す残量表示部が設けられることを特徴とする什器システム。
【発明の詳細な説明】
【技術分野】
【０００１】
本発明は、固定什器と移動什器とを組み合わせ可能な什器システムに関し、特に給電手段を搭載してオフィスや病院、公共施設等における執務空間、及び家庭等の居住空間にて使用される什器システムに関する。
【背景技術】
【０００２】
従来、上記什器システムにおいて、各什器を所定の組み合わせ状態としたときに、固定什器から移動什器へこれらが搭載した給電手段を介して電力を供給可能としたものがある（例えば、特許文献１参照）。
【先行技術文献】
【特許文献】
【０００３】
【特許文献１】特開２０１０−１１８２４７号公報
【発明の概要】
【発明が解決しようとする課題】
【０００４】
ところで、上記特許文献１では、移動什器の天板上面に略連続する開閉蓋を開けた位置にＯＡコンセント（電力取り出し部）を設けているが、この構成では天板上面に載置した物品によって電力取り出し部が隠され易く、移動什器の使い勝手に影響を与えることが考えられる。
【０００５】
そこで本発明は、固定什器と移動什器とを組み合わせ可能かつ前記組み合わせ時に固定什器から移動什器へ給電可能とした什器システムにおいて、移動什器に設けた電力取り出し部の使い勝手を良好にすることを目的とする。
【課題を解決するための手段】
【０００６】
上記課題の解決手段として、請求項１に記載した発明は、固定電源に接続される給電部を有する固定什器と、前記給電部からの給電を受ける受電部を有する移動什器とを備え、前記固定什器及び移動什器が所定の組み合わせ状態となったときに、前記給電部から前記受電部への給電を可能とする什器システムであって、前記移動什器の天板に、この移動什器に搭載したバッテリ及び前記受電部の少なくとも一方に接続される電力取り出し部が設けられ、この電力取り出し部の基体が、前記天板の上面に露出して設けられることを特徴とする。
請求項２に記載した発明は、請求項１に記載の什器システムにおいて、前記電力取り出し部の基体が、前記天板の上面から上方に向かって突出することを特徴とする。
請求項３に記載した発明は、請求項１又は２に記載の什器システムにおいて、前記電力取り出し部の基体に、前記受電部が設けられることを特徴とする。
請求項４に記載した発明は、請求項１から３の何れか１項に記載の什器システムにおいて、前記移動什器に搭載したバッテリが、前記天板の下方に配置されることを特徴とする。
請求項５に記載した発明は、請求項１から４の何れか１項に記載の什器システムにおいて、前記給電部及び受電部が給電コネクタ及び受電コネクタをそれぞれ有し、前記各コネクタが、互いに磁気的に吸着して電気的な接続状態を確立するマグネット式コンセントを構成することを特徴とする。
請求項６に記載した発明は、請求項１から４の何れか１項に記載の什器システムにおいて、前記給電部及び受電部が非接触給電手段を構成することを特徴とする。
請求項７に記載した発明は、請求項１から６の何れか１項に記載の什器システムにおいて、前記電力取り出し部の基体に、前記給電部から受電部への給電状態を示す給電表示部が設けられることを特徴とする。
請求項８に記載した発明は、請求項１から７の何れか１項に記載の什器システムにおいて、前記電力取り出し部の基体に、前記移動什器に搭載したバッテリの蓄電残量を示す残量表示部が設けられることを特徴とする。
【発明の効果】
【０００７】
請求項１，２に記載した発明によれば、移動什器の天板の上面に露出するように（上面から上方へ突出するように）電力取り出し部を設けることで、電力取り出し部の位置が明確になると共に、天板の上面に載置した物品によって電力取り出し部が隠され難くなり、電力取り出し部の使い勝手を良好にすることができる。
請求項３に記載した発明によれば、受電部と電力取り出し部とをまとめて配設することができ、製造工数及びコストの低減を図ると共に、移動什器の体裁及び使い勝手を良好にすることができる。
請求項４に記載した発明によれば、移動什器に搭載したバッテリが目立たなくなると共に、バッテリに水や薬液等が掛かり難くなり、かつバッテリと電力取り出し部との間の配線を簡素化できる。
請求項５に記載した発明によれば、給電部及び受電部の接続の確実性を向上できると共に、各コネクタを接続したままの状態で移動什器を移動させてしまった場合でも、移動什器を操作する力がマグネット式コンセントの吸着力よりも大きければ、各コネクタの接続を自動的に解除できるため、移動什器の使い勝手をさらに向上できる。
請求項６に記載した発明によれば、給電部及び受電部の周辺のメンテナンス性を向上できると共に、移動什器を固定什器に対する組み合わせ位置から自由に移動させることができるため、移動什器の使い勝手をさらに向上できる。また、給電手段をカバー等で覆った場合でも給電が可能であるため、水や薬液等が給電手段に掛かり難くすることができる。
請求項７に記載した発明によれば、各什器を組み合わせたときの給電部と受電部との間の給電状態を容易に確認でき、移動什器の使い勝手をより良好なものとすることができる。また、基体に受電部も設けた構成とすれば、受電部、電力取り出し部及び給電表示部をまとめて配設することができ、製造工数及びコストの低減を図ることができる。
請求項８に記載した発明によれば、バッテリの蓄電残量を容易に確認することができ、移動什器の使い勝手をより良好なものとすることができる。また、基体に受電部も設けた構成とすれば、受電部、電力取り出し部及び残量表示部をまとめて配設することができ、製造工数及びコストの低減を図ることができる。
【図面の簡単な説明】
【０００８】
【図１】本発明の実施形態における什器システムの斜視図である。
【図２】上記什器システムのカートの側面図である。
【図３】（ａ）は上記什器システムのカートに設けた電力取り出し部及び受電部の斜め上後方からの斜視図、（ｂ）は前記受電部及び受電部の斜め上前方からの斜視図、（ｃ）は上記什器システムのテーブルに設けた給電部の斜め上後方からの斜視図である。
【発明を実施するための形態】
【０００９】
以下、本発明の実施形態について図面を参照して説明する。
図１に示すように、本実施形態の什器システム１は、床面Ｆ上に配設されたテーブル（固定什器）２と、床面Ｆ上を走行可能に配設されたカート（移動什器）３とを備える。
テーブル２は、水平に配される天板８と、この天板８を支持して床面Ｆに固定的に設置可能な脚部９とを有する。
【００１０】
図２、図３（ｃ）を併せて参照し、テーブル２は、天板８の上面８ａにカート３の受電部４に対応する給電部５を有する。給電部５は、天板８の上面８ａに一体固定的に支持されてこの上面８ａから上方に突出する基体５ａと、この基体５ａの後面に設けられる給電コネクタ７とを有する。給電部５は、什器システム１の設置場所に設けられたＡＣ電源（固定電源）に接続されている。
【００１１】
図１，２を参照し、カート３は、キャスタ１１により床面Ｆ上を走行可能な枠型のカート本体１２と、カート本体１２の内側に着脱可能に支持される上下二段の物品収納トレイ１３と、カート本体１２の上端部に支持されて水平な上面１４ａを形成する天板１４とを有する。カート本体１２は例えばステンレス等の金属製の複数の部材を溶接等により一体に結合してなり、物品収納トレイ１３及び天板１４はそれぞれ例えばポリプロピレン等の合成樹脂製の一体成形品とされる。
【００１２】
なお、カート３は、物品を載置、収納する手段（天板１４、物品収納トレイ１３）を有しつつ、床面Ｆ上を走行可能とされたものであり、例えば、病院や介護施設等で病室を回診する際等に利用されると共に、近年のカルテ等の電子化に伴って情報端末等の電子機器Ｐを載置可能とするために、カート本体１２に電源（バッテリ１７）を搭載している。
【００１３】
カート本体１２は直方体状をなし、左右一対の前支柱１２ａ及び後支柱１２ｂを有する。左右の前支柱１２ａは、その上端部から後方に屈曲して延びる上横桟１２ｃを一体に有する。各上横桟１２ｃの後端部は、左右の後支柱１２ｂの上部にそれぞれ接合される。左右の前支柱１２ａの下端部と左右の後支柱１２ｂの下端部とは、左右の下横桟１２ｄを介してそれぞれ連結される。各上横桟１２ｃの前部間は上梁１２ｅを介して互いに連結され、各下横桟１２ｄの中間部間は下梁１２ｆを介して互いに連結される。各支柱１２ａ，１２ｂの下端部にはそれぞれキャスタ１１が取り付けられる。
【００１４】
左右の後支柱１２ｂは、その上端部から前方に屈曲して延びる天板支持腕１２ｇを一体に有する。これら左右の天板支持腕１２ｇに天板１４の左右下部がそれぞれ支持される。左右の後支柱１２ｂの上端屈曲部は、グリップ１５ａを具備して使用者によるカート３の移動操作を可能とする操作部１５を構成する。
【００１５】
左右の上横桟１２ｃと左右の天板支持腕１２ｇとはそれぞれ上下に離間する。これら各上横桟１２ｃ及び各天板支持腕１２ｇを主に、カート本体１２の上部に側面視で前方に開放する空間部１６が形成される。空間部１６にはテーブル２の天板８の後部が前方から進入可能である。
【００１６】
左右の上横桟１２ｃの間には、扁平状のバッテリ１７が搭載される。バッテリ１７は、空間部１６を介して天板１４の真下に位置する。バッテリ１７は、コンバータ等を含む装置であり、カート３に設けられた雌側コンセント１９に接続され、この雌側コンセント１９から天板１４上に載置した情報端末等の電子機器Ｐへ電力を供給可能である。
【００１７】
図３（ａ）、図３（ｂ）を参照し、雌側コンセント１９は、天板１４の上面１４ａに一体固定的に支持された電力取り出し部１８の基体１８ａの後面に設けられる。電力取り出し部１８の基体１８ａの前面には、受電部４の受電コネクタ６が設けられる。すなわち、電力取り出し部１８の基体１８ａは受電部４の基体４ａも兼ねている。
【００１８】
図２を参照し、受電コネクタ６は、カート３をテーブル２に組み合わせた際に、前記給電コネクタ７に後方から接続される。なお、前記雌側コンセント１９を受電部４にも接続し、受電部４及びバッテリ１７の少なくとも一方から電力を取り出し可能としてもよい。
【００１９】
カート３は、空間部１６内にテーブル２の天板８の後部を進入させるようにしてテーブル２と組み合わされる。このとき、カート本体１２の上横桟１２ｃよりも下方の部位は、テーブル２の天板８下方の空間部内に収納される。またこのとき、給電コネクタ７及び受電コネクタ６が互いに接続されて、給電部５から受電部４への給電が可能となる。この状態をテーブル２及びカート３の所定の組み合わせ状態とする。受電部４に供給された電力は、バッテリ１７の充電に供されるか雌側コンセント１９から外部へ取り出される。
【００２０】
前記所定の組み合わせ状態において、天板支持腕１２ｇ及び天板１４はテーブル２の天板８の上方に位置する。このため、天板１４上にパソコン等の物品を載置したままで、テーブル２及びカート３を前記所定の組み合わせ状態にすることが可能である。
【００２１】
各天板支持腕１２ｇの後部には、それぞれ左右の荷掛けフック２３が固定される。各荷掛けフック２３は、側面視で空間部１６内（下方）に突出するように設けられる。各荷掛けフック２３は、前記所定の組み合わせ状態においてテーブル２の天板８の後縁に当接する。これにより、テーブル２に対するカート３の前方移動位置が規定される。また、テーブル２に対するカート３の左右位置は、テーブル２の天板８の下面に固定されたガイド機構２４により規定される（図１参照）。
【００２２】
図３（ａ）を参照し、電力取り出し部１８の基体１８ａ（受電部４の基体４ａ）の例えば上面には、給電部５から受電部４への給電状態にあるか否かをランプの点灯等により外部に表示する給電表示部２１が設けられると共に、バッテリ１７の蓄電残量をセグメント数の増減等により外部に表示する残量表示部２２が設けられる。
【００２３】
図３（ｂ）を参照し、受電コネクタ６には、前方に突出する左右一対のピン端子６ａが設けられる。一方、給電コネクタ７には、各ピン端子６ａを挿入可能な左右一対のピン孔７ａが設けられる。前記所定の組み合わせ状態において、各コネクタ６，７が互いに接続されると、各ピン孔７ａに各ピン端子６ａがそれぞれ挿入され、受電部４と給電部５とが互いに電気的に接続された状態となる。
【００２４】
図３（ｃ）を併せて参照し、受電コネクタ６の各ピン端子６ａの間にはマグネット６ｂが設けられ、給電コネクタ７の各ピン孔７ａの間にはマグネット６ｂに吸着される磁性体（又はマグネット）７ｂが設けられる。すなわち、各コネクタ６，７は、互いに磁気的に吸着して電気的な接続状態を確立可能なマグネット式コンセントを構成する。なお、各コネクタ６，７は、互いに磁気的に吸着した状態でも、その吸着力よりも大きい外力によって互いに離間可能である。また、給電コネクタ７にマグネットを、受電コネクタ６に磁性体をそれぞれ設けた構成でももちろんよい。
【００２５】
以上説明したように、上記実施形態における什器システム１は、固定電源に接続される給電部５を有するテーブル２と、前記給電部５からの給電を受ける受電部４を有するカート３とを備え、前記テーブル２及びカート３が所定の組み合わせ状態となったときに、前記給電部５から前記受電部４への給電を可能とするものであって、前記カート３の天板１４に、このカート３に搭載したバッテリ１７及び前記受電部４の少なくとも一方に接続される電力取り出し部１８が設けられ、この電力取り出し部１８の基体１８ａが、前記天板１４の上面１４ａから上方に向かって突出するものである。
この構成によれば、カート３の天板１４の上面１４ａから上方へ突出するように電力取り出し部１８を設けることで、電力取り出し部１８の位置が明確になると共に、天板１４の上面１４ａに載置した物品によって電力取り出し部１８が隠され難くなり、電力取り出し部１８の使い勝手を良好にすることができる。
【００２６】
また、上記什器システム１は、前記電力取り出し部１８の基体１８ａに、前記受電部４が設けられることで、受電部４と電力取り出し部１８とをまとめて配設することができ、製造工数及びコストの低減を図ると共に、カート３の体裁及び使い勝手を良好にすることができる。
【００２７】
また、上記什器システム１は、前記カート３に搭載したバッテリ１７が、前記天板１４の下方に配置されることで、カート３に搭載したバッテリ１７が目立たなくなると共に、バッテリ１７に水や薬液等が掛かり難くなり、かつバッテリ１７と電力取り出し部１８との間の配線を簡素化できる。
【００２８】
また、上記什器システム１は、前記給電部５及び受電部４が給電コネクタ７及び受電コネクタ６をそれぞれ有し、前記各コネクタが、互いに磁気的に吸着して電気的な接続状態を確立するマグネット式コンセントを構成することで、給電部５及び受電部４の接続の確実性を向上できると共に、各コネクタを接続したままの状態でカート３を移動させてしまった場合でも、カート３を操作する力がマグネット式コンセントの吸着力よりも大きければ各コネクタの接続を自動的に解除できるため、カート３の使い勝手をさらに向上できる。
【００２９】
また、上記什器システム１は、前記電力取り出し部１８の基体１８ａに、前記給電部５から受電部４への給電状態を示す給電表示部２１が設けられることで、各什器を組み合わせたときの給電部５と受電部４との間の給電状態を容易に確認でき、カート３の使い勝手をより良好なものとすることができる。また、基体１８ａに受電部４も設けた構成とすれば、受電部４、電力取り出し部１８及び給電表示部２１をまとめて配設することができ、製造工数及びコストの低減を図ることができる。
【００３０】
また、上記什器システム１は、前記電力取り出し部１８の基体１８ａに、前記カート３に搭載したバッテリ１７の蓄電残量を示す残量表示部２２が設けられることで、バッテリ１７の蓄電残量を容易に確認することができ、カート３の使い勝手をより良好なものとすることができる。また、基体１８ａに受電部４も設けた構成とすれば、受電部４、電力取り出し部１８及び残量表示部２２をまとめて配設することができ、製造工数及びコストの低減を図ることができる。
【００３１】
なお、本発明は上記実施形態に限られるものではなく、例えば、前記給電部５及び受電部４に代わり、給電コイルを有する給電部と、受電コイルを有する受電部とを有し、これらを前記所定の組み付け状態で互いに対向させると共に給電コイルに電流を流すことで、電磁誘導により受電コイルに電流を生じさせる非接触式の給電手段を構成するようにしてもよい。
この場合、給電部及び受電部の周辺のメンテナンス性を向上できると共に、カート３をテーブル２に対する組み合わせ位置から自由に移動させることができるため、カート３の使い勝手をさらに向上できる。また、給電手段をカバー等で覆った場合でも給電が可能であるため、水や薬液等が給電手段に掛かり難くすることができる。
【００３２】
そして、上記実施形態における構成は本発明の一例であり、当該発明の要旨を逸脱しない範囲で種々の変更が可能であることはいうまでもない。
【符号の説明】
【００３３】
１  什器システム
２  テーブル（固定什器）
３  カート（移動什器）
４  受電部
５  給電部
６  受電コネクタ
７  給電コネクタ
１４  天板
１４ａ  上面
１７  バッテリ
１８  電力取り出し部
１８ａ  基体
２１  給電表示部
２２  残量表示部
【図１】
2012019879.tif 000003
【図２】
2012019879.tif 000004
【図３】
2012019879.tif 000005